(57)【要約】【課題】宮殿の内側に配設しても可及的に仏像の全体を照明することができ、また、金色であっても仏像の色が映える仏具用照明装置を提供する。【解決手段】リフレクタ２で囲まれる領域内に、リフレクタ２の長さ寸法より少し短い寸法の直管状のランプ４が、リフレクタ２の背部２ａに長手方向へ距離隔てて立設した支持部材１１，１１，…によって、前記背部２ａから所定距離を隔てて着脱自在に支持してある。このランプ４は、筒状のカバー体５を具備しており、該カバー体５内に、白熱球を用いてなる複数の光源部６，６，…が、当該カバー体５の軸長方向へ一列に配設してある。【選択図】図１
2006190517.tif 000002
【特許請求の範囲】
【請求項１】
縦長のリフレクタと、このリフレクタに対向させてリフレクタの長手方向へ列状に配置してあり、それぞれ白熱球を用いてなる複数の光源部とを備えることを特徴とする仏具用照明装置。
【請求項２】
縦長の基台と、この基台の長手方向へ列状に配置してあり、内蔵する発光ダイオードによって赤系色光を出射する複数の光源部とを備えることを特徴とする仏具用照明装置。
【請求項３】
更に、各光源部の発光量を調整する調光部を備える請求項１又は２記載の仏具用照明装置。
【請求項４】
更に、前記調光器の調光動作を経時的に制御する調光制御部を備える請求項３記載の仏具用照明装置。
【発明の詳細な説明】
【技術分野】
【０００１】
本発明は、仏具に使用される照明装置に係り、特に、仏像を照明するのに適した仏具用照明装置に関する。
【背景技術】
【０００２】
仏具に使用される照明装置として、従来より、例えばなつめ電球を着脱可能に基台上に取付けてなるロウソク形照明装置が使用されている。また、仏壇の天井部分に直管状の蛍光灯を横設してなる照明装置も提案されている（たとえば、特許文献１参照。）
【０００３】
一方、堂内に設置した仏像を照明する場合、四隅を仕切り壁で仕切られた領域内に仏像が設置してある宮殿の外側から、スポットライト等の単球を内蔵する照明装置を用いて宮殿内の仏像を照明していた。
【０００４】
【特許文献１】特開平７−２８８０２８号公報
【発明の開示】
【発明が解決しようとする課題】
【０００５】
しかしながら、宮殿内に設置した仏像は比較的サイズが大きいので、単球の照明装置で照明する場合、可及的に仏像の全体を照明しようとする場合、前述した如く照明装置を宮殿の外側に配置しなければならない上に、仏像の正面は参拝者等が着座するので照明装置を配設することができず、斜め方向から仏像を照明していたため、照明装置から出射された光の一部は仕切り壁によって遮られてしまうという問題があった。
【０００６】
一方、ロウソク形照明装置は一般的に宮殿内では使用しないものであり、また、蛍光灯を使用した場合、仏像が金色であるときは、当該仏像の色が映えないという問題があった。
【０００７】
本発明は、斯かる事情に鑑みてなされたものであって、宮殿の内側に配設しても可及的に仏像の全体を照明することができ、また、金色であっても仏像の色が映える仏具用照明装置を提供する。
【課題を解決するための手段】
【０００８】
請求項１記載の本発明は、縦長のリフレクタと、このリフレクタに対向させてリフレクタの長手方向へ列状に配置してあり、それぞれ白熱球を用いてなる複数の光源部とを備えることを特徴とする。
【０００９】
請求項２記載の本発明は、縦長の基台と、この基台の長手方向へ列状に配置してあり、内蔵する発光ダイオードによって赤系色光を出射する複数の光源部とを備えることを特徴とする。
【００１０】
請求項３記載の本発明は、更に、各光源部の発光量を調整する調光部を備えることを特徴とする。
【００１１】
請求項４記載の本発明は、更に、前記調光器の調光動作を経時的に制御する調光制御部を備えることを特徴とする。
【発明の効果】
【００１２】
請求項１記載の本発明では、それぞれ白熱球を用いてなる複数の光源部が、縦長のリフレクタに対向させてリフレクタの長手方向へ列状に配置してあるため、宮殿の内側に配設しても可及的に仏像の全体を照明することができ、また、金色であっても仏像の色が映える。
【００１３】
請求項２記載の本発明では、内蔵する発光ダイオードによって赤系色光を出射する複数の光源部が、縦長の基台の長手方向へ列状に配置してあるため、宮殿の内側に配設しても可及的に仏像の全体を照明することができ、また、金色であっても仏像の色が映える。
【００１４】
請求項３記載の本発明では、更に、各光源部の発光量を調整する調光部を備えるため、この調光部を用いて、適宜のタイミングで各光源部の発光量を調整することによって、演出効果を高めることができる。
【００１５】
請求項４記載の本発明では、更に、前記調光器の調光動作を経時的に制御する調光制御部を備えるため、この調光制御部にて適宜のタイミングで各光源部の発光量を調整させることができ、人を介することなく演出効果を高めることができる。
【発明を実施するための最良の形態】
【００１６】
本発明に係る仏具用照明装置は、それぞれ白熱球を用いてなる複数の光源部が、縦長のリフレクタに対向させてリフレクタの長手方向へ列状に配置してある。
【００１７】
また、内蔵する発光ダイオードによって赤系色光を出射する複数の光源部を、縦長の基台の長手方向へ列状に配置する構成にしてもよい。
【００１８】
本発明に係る仏具用照明装置は、更に、各光源部の発光量を調整する調光部を備える。
【００１９】
更に、前記調光器の調光動作を経時的に制御する調光制御部を備える。
【００２０】
以後、本発明に係る照明装置を図面に基づいて詳述する。
【実施例１】
【００２１】
図１は、本発明に係る仏具用照明装置を示す外観正面図であり、図中、１は、光を出射する本体である。本体１は、例えば蓮台形の台座３上に縦長のリフレクタ２を立設して構成してあり、このリフレクタ２は、縦長帯板の両側縁部を平面視が台形状に屈曲させることによって、背部２ａ及び両側部２ｂ，２ｂが設けてある。そして、リフレクタ２で囲まれる領域内に、リフレクタ２の長さ寸法より少し短い寸法の直管状のランプ４が、リフレクタ２の背部２ａに長手方向へ距離隔てて立設した支持部材１１，１１，…によって、前記背部２ａから所定距離を隔てて着脱自在に支持してある。
【００２２】
これらリフレクタ２及びランプ４の高さ方向の寸法は、堂に設置された仏像の高さ寸法と略同じにしてある。例えば、仏像の高さ寸法が１ｍの場合、ランプ４の高さ方向の寸法も１ｍ程度である。
【００２３】
前述したランプ４は、筒状のカバー体５を具備しており、該カバー体５内に、白熱球を用いてなる複数の光源部６，６，…が、当該カバー体５の軸長方向へ一列に配設してある。各光源部６，６，…の両極は相互に接続してあり、各光源部６，６，…の正極に接続したリード及び負極に接続したリードが、互いにカバー体５の異なる端部へそれぞれ延設してある。カバー体５の両端部はそれぞれ、キャップ状の塞止部材によって塞止してあり、一方の塞止部材の周面には正極のリードを接続させたピンが、また、他方の塞止部材の周面には負極のリードを接続させたピンがそれぞれ突設してある。そして、両ピン間に印加する電圧によって、各光源部６，６，…が出射する光の量を調整し得るようになっている。
【００２４】
一方、リフレクタ２の背部２ａであって上下縁近傍の位置にはそれぞれ、ランプ４の前述した両ピンを嵌合させるジャックが設けてあり、両ジャックにはコード７の一端がそれぞれ接続してある。このコード７の他端には商用のコンセントに接続するためのプラグ１０が取付けてあり、コード７の中途部には、プラグ１０から給電された交流電圧を直流電圧に変換すると共に、変換した直流電圧を連続的又は段階的に昇降して、各光源部６，６，…に印加する電圧を調節させることによって、各光源部６，６，…の発光量を調整する調光器８が介装してある。
【００２５】
図２は、図１に示したランプ４の発光状態を示す部分正面図であり、図１に示した調光器８によるランプ４の調光動作を説明するものである。なお、図中、図１に示した部分に対応する部分には同じ番号を付して、その説明を省略する。
【００２６】
調光器８（図１参照）を操作することによって、図２に示した如く、ランプ４が内蔵する各光源部６，６，…の光量をそれぞれ、例えば、小（図２（ａ））、中（図２（ｂ））、大（図２（ｃ））に調整することができる。
【００２７】
図３は、図１に示した仏具用照明装置の配置例を示す平面図であり、図中は、５０は堂内に設けられた宮殿、Ａは前述した仏具用照明装置である。なお、図中、図１に示した部分に対応する部分には同じ番号を付して、その説明を省略する。
【００２８】
図３に示した如く、宮殿５０は、矩形状壇５１の四隅を平面視が略Ｌ字状の仕切り壁５２，５２，５２，５２で仕切って構成されており、宮殿５０の略中央に金色の仏像Ｂがその正面を宮殿５０の正面口５３に対向させて配置してある。そして、この正面口５３の両側の両仕切り壁５２，５２の内側にそれぞれ仏具用照明装置Ａ，Ａが、仏像Ｂへ投光するように配置してある。
【００２９】
このとき仏具用照明装置Ａは、図１に示した如く、縦長のリフレクタ２に対向配置した直管状のランプ４内には、白熱球を用いてなる複数の光源部６，６，…が、リフレクタ２の長手方向へ一列状に配置してあるため、図３に示した如く、仏具用照明装置Ａ，Ａを宮殿５０の内側に配設しても、仏像Ｂの斜め正面から仏像Ｂの全体を照明することができ、各光源部６，６，…から赤系色の光が仏像Ｂに照射されるため、仏像Ｂの金色が映える。
【００３０】
一方、図１に示した調光器８をオペレータが操作することによって、例えば、各光源部６，６，…の発光量を、読経している間は小さく、読経が終了した後は大きくすることができ、仏像Ｂに係る照明の演出効果を向上させることができる。
【００３１】
なお、本実施例では、一条の光源部６，６，…をリフレクタ２に対向配置した場合について説明したが、本発明はこれに限らず、複数条の光源部６，６，…を横方向へ並設してもよいことはいうまでもない。
【実施例２】
【００３２】
図４は、仏具用照明装置に用いる他の調光器１８の要部構成を示すブロック図であり、図中、１９は、商用電源から給電される入力部である。入力部１９に供給された交流電圧は、交流電圧を直流電圧に変換すると共に、変換した直流電圧を連続的又は段階的に昇降させ得る調光部２０に与えられるようになっており、調光部２０で調節された直流電圧が出力部２２から、図１に示したランプ４の各光源部６，６，…に与えられる。そして、この調光部２０による各光源部６，６，…の調光動作は制御部２１によって制御されるようになっている。
【００３３】
制御部２１には、クロック発生部、メモリ及びＭＰＵ等が設けてあり、メモリには、調光部２０の調光動作を経時的に制御する制御指令が記憶させてあり、制御部２１のＭＰＵは、クロック発生部から与えられるクロックを用いて計時すると共に、前記メモリに記憶された制御指令に基づいて、調光部２０の調光動作を経時的に制御して、各光源部６，６，…の発光量を経時的に調整させる。
【００３４】
これによって、人手を介することなく、例えば、各光源部６，６，…の発光量を、読経している間は小さく、読経が終了した後は大きくすることができ、仏像に係る照明の演出効果を向上させることができる。
【００３５】
なお、前述した制御部２１は前述した構成以外に、計時用のタイマ及び調光部の動作を切り替える切替部等によって構成してもよい。
【実施例３】
【００３６】
図５は、実施例３に係る仏具用照明装置を示す外観正面図であり、白熱球に代えて発光ダイオードを用いている。なお、図中、図１に示した部分に対応する部分には同じ番号を付してその説明を省略する。
【００３７】
図５に示した如く、縦長の基台たるリフレクタ２の背部２ａには、複数の光源部１６，１６，…が背部２ａの長手方向へ適宜の距離を隔てて取付てある。この光源部１６は、例えば、３原色を各別に発光する複数の発光ダイオードを、拡散光を出射する透明な合成樹脂製のレンズ部内に埋設してなり、橙色といった赤系色の光を出射するようになしてある。そして、各光源部１６，１６，…から出射された光は、直接又はリフレクタ２に反射して仏像に照射されるようになっている。
【００３８】
従って、前同様、かかる仏具用照明装置を宮殿の内側に配設しても、縦長の背部２ａに各光源部１６，１６，…が、背部２ａの長手方向へ適宜の距離を隔てて取付てあるため、仏像の斜め正面から仏像の全体を照明することができ、各光源部１６，１６，…から赤系色の光が仏像に照射されるため、仏像の金色が映える。
【００３９】
なお、本実施例に係る仏具用照明装置は、リフレクタ２を用いた場合について示したが、本発明はこれに限らず、縦長の基台に、内蔵する発光ダイオードによって赤系色光を出射する複数の光源部を、当該基台の長手方向へ距離を隔てて取付けてもよい。この場合、各光源部を構成するレンズによって適宜に拡散した光を出射するようにする。
【図面の簡単な説明】
【００４０】
【図１】本発明に係る仏具用照明装置を示す外観正面図である。
【図２】図１に示したランプの発光状態を示す部分正面図である。
【図３】図１に示した仏具用照明装置の配置例を示す平面図である。
【図４】仏具用照明装置に用いる他の調光器の要部構成を示すブロック図である。
【図５】実施例３に係る仏具用照明装置を示す外観正面図である。
【符号の説明】
【００４１】
１    本体
２    リフレクタ
２ａ  背部
２ｂ  側部
３    台座
４    ランプ
５    カバー体
６    光源部
７    コード
８    調光器
１１    支持部
１６    光源部
１８    調光器
１９    入力部
２０    調光部
２１    制御部
２２    出力部
５０    宮殿
Ａ    仏具用照明装置
Ｂ    仏像
【図１】
2006190517.tif 000003
【図２】
2006190517.tif 000004
【図３】
2006190517.tif 000005
【図４】
2006190517.tif 000006
【図５】
2006190517.tif 000007